(57)【要約】【課題】比較的簡単な構成で、部品を増やさず、かつランプ部とストロボ発光部の射出面構造の自由度を増すことができる、ランプ部とストロボ発光部を一体化した照明装置とする。【解決手段】定常光を放つランプ部と、ストロボ発光を行うストロボ発光部と、前記ランプ部と前記ストロボ発光部の前方に配置され、それぞれの射出面を覆う光学部材１３とを有する照明装置において、前記光学部材を、前記ランプ部から放射される光束が通過する第１の面１３１ａと、前記ストロボ発光部から放射される光束が通過する第２の面１３２ａとを有する構成にしている。【選択図】        図７
2004258146.tif 000002
【特許請求の範囲】
【請求項１】
定常光を放つランプ部と、ストロボ発光を行うストロボ発光部と、前記ランプ部と前記ストロボ発光部の前方に配置され、それぞれの射出面を覆う光学部材とを有する照明装置において、
前記光学部材は、前記ランプ部から放射される光束が通過する第１の面と、前記ストロボ発光部から放射される光束が通過する第２の面とを有することを特徴とする照明装置。
【発明の詳細な説明】
【０００１】
【発明の属する技術分野】
本発明は、ビデオカメラ等に装着される照明装置の改良に関するものである。
【０００２】
【従来の技術】
ビデオカメラなどの撮像装置では、近年、動画に加えて静止画を撮影できるものがある。また、撮影時に被写体を照らすための照明装置としては、撮像装置に内蔵されたものの他に、撮像装置本体に接続されて、通信手段を介して本体と通信して制御されるものもある。この種の照明装置では、例えば動画撮影用のランプ（ライト）と静止画撮影用のストロボを一体化した外部照明装置となっており、動画撮影時にはランプが点灯して定常光を放ち、静止画撮影時にはストロボが点灯して閃光発光を行うことになる。
【０００３】
また、例えば特許文献１など多数の公報にて開示されているように、ストロボ発光時の赤目緩和のためにプリ発光する赤目ランプをストロボ発光部近傍に具備し、該赤目ランプを撮影直前にプリ発光させ、その後の撮影時のストロボ発光による被写体の赤目現象の緩和を行う機能を有するカメラが知られている。
【０００４】
【特許文献１】
特許第３３３６３９４号公報
【０００５】
【発明が解決しようとする課題】
ところで、動画撮影用のランプと静止画撮影用のストロボを一体化した照明装置では、一般的に動画撮影用のランプ部と静止画撮影用のストロボ部の射出窓は別々の部材で構成されているが、ランプ部の窓部材とストロボ部の窓部材を配置する際にはある程度自由度に制約があった。又、動画撮影用のランプはランプ切れを起こした時のランプ交換を可能にするため、脱着可能に構成されるが、その際にストロボ部に埃やごみ等の異物が混入しないようにする必要があった。
【０００６】
また、カメラ等のストロボ発光部開口は透明の窓で構成され、組み立ての際はカメラの外装部品と接着等が行われ、カメラ内部の部品で受け面を構成して外部から押された時の圧力に耐える構成となっているものがある。このような構成のものは、組み立て時の接着が不十分であったり、スペースの関係上、カメラ内部の部品で十分な面積の受け面を構成できない場合においては外部から押された時の圧力に耐えることができない場合もあった。
【０００７】
（発明の目的）
本発明の目的は、比較的簡単な構成で、部品を増やさず、かつランプ部とストロボ発光部の射出面構造の自由度を増すことのできる、ランプ部とストロボ発光部を一体化した照明装置を提供しようとするものである。
【０００８】
【課題を解決するための手段】
上記目的を達成するために、本発明は、定常光を放つランプ部と、ストロボ発光を行うストロボ発光部と、前記ランプ部と前記ストロボ発光部の前方に配置され、それぞれの射出面を覆う光学部材とを有する照明装置において、前記光学部材は、前記ランプ部から放射される光束が通過する第１の面と、前記ストロボ発光部から放射される光束が通過する第２の面とを有する照明装置とするものである。
【０００９】
【発明の実施の形態】
以下、本発明を図示の実施の形態に基づいて詳細に説明する。
【００１０】
（実施の第１の形態）
図１及び図２は本発明の実施の第１の形態に係る撮像装置用照射装置を示す斜視図であり、図示のように、照明装置１は、後カバー１１、前カバー１２、窓部材１３、本体通信部材１４、ロック部材１５、操作つまみ１７で外観部を構成されている。なお、１２１はランプから発せられる熱を装置外に放出するための排熱口である。
【００１１】
図３は、上記照射装置１をビデオカメラ２の接続部３を介して接続した状態を示す図であり、ビデオカメラ２の動作に連動して発光等の動作が制御されることになる。
【００１２】
図４は、上記照射装置１の内部構成を示す分解斜視図である。
【００１３】
後カバー１１と前カバー１２に囲まれるように本体ユニット２０が配置され、本体ユニット２０は各内部構成部品を保持している。窓部材１３の上部には、定常光を発するランプの光束が通過するランプ放射面１３１（１３１ａ，１３１ｂ）が、窓部材１３の下部には、ストロボ発光の光束が通過するストロボ放射面１３２（１３２ａ，１３２ｂ）が設けられている。
【００１４】
なお、１６はロック保持部材であり、照明装置１がビデオカメラ２の接続部３と接続される時は、使用者がロック部材１５を、ロック保持部材１６を中心に回転させて締め付け固定することになる。
【００１５】
図５は、本体ユニット２０を構成する部品を示す分解斜視図である。
【００１６】
本体２１は各構成部品を保持して本体ユニット２０を構成するための保持部材である。本体２１の上部には、ランプ反射笠２２が取り付けられる。ランプ反射笠２２の光軸中心にはランプ２３が設けられ、ビデオカメラ２からの操作で発光する。また、ランプ２３はランプ交換のために光軸方向に脱着可能なように取り付けられている。本体２１の下部には、ストロボ発光ユニット２４、ライトガイド２８及び反射板２９が取り付けられる。ストロボ発光ユニット２４は、主にキセノン管２５、ストロボ反射笠２６、およびホルダー２７で構成され、下方から本体２１に組み込まれる。そして、ストロボ発光ユニット２４の前面に、ライトガイド２８及び反射板２９が前方から組み込まれる。ライトガイド２８はキセノン管２５にて発せられた光を集光し、反射板２９はキセノン管２５にて発せられた光を反射して所望の角度へ放射する。
【００１７】
３０は基板であり、切り換えスイッチ３１（図５では不図示）、メインコンデンサ３２、トリガーコイル３３、発振トランス３４、その他不図示の電気素子が実装されており、ビデオカメラ２からの電気的信号により、ランプ及びストロボ発光の制御を行うものである。ここで、基板３０は不図示のリード線によりランプ２３及びキセノン管２５と電気的に接続されている。また、トリガーコイル３３も同様に不図示のリード線によりストロボ反射笠２６と電気的に接続されている。さらに、基板３０は不図示のリード線により本体通信部材１４の端子と電気的に接続されており、本体通信部材１４がビデオカメラ２の接続部３と接続されることでビデオカメラ２と電気的に接続され、電気的通信や電源の供給を行う。
【００１８】
図６は、本体ユニット２０とその関連する部品を上面から見た図である。
【００１９】
本体２１の背面には操作つまみ１７が配置され、基板３０に実装された切り換えスイッチ３１の操作部と係合している。使用者が操作つまみ１７の操作部１７１を動作させると、その動作に連動して切り換えスイッチ３１が動作して、ランプとストロボ発光のモードを切り換えることができる。操作つまみ１７は受け面１７２，１７３がその両端に２つ設けられ、受け面１７２は本体２１の突起２１２により保持され、受け面１７３は基板３０の端面でそれぞれ保持される。本体２１の突起２１２、基板３０は、照射装置の略中央部に配置されたメインコンデンサ３２を避けるように両端に振り分けて配置されているので、操作つまみ１７は安定的に保持される。
【００２０】
上述した構成の照明装置１には、図４に示したように窓部材１３に、定常光を発するランプの光束が通過するランプ放射面１３１と、ストロボ発光の光束が通過するストロボ放射面１３２が設けられている。
【００２１】
図７は本発明の実施の第１の形態に係る主要部分の構成要素である窓部材１３を内側から見た斜視図であり、図示のように、窓部材１３の内側のランプ放射面１３１ａとストロボ放射面１３２ａとの間には、突起１３３が設けられている。図８は、上記窓部材１３を前カバー１２へ組み込んだ状態を示す断面図である。窓部材１３の上部端面には突起１３４が設けられており、窓部材１３のストロボ放射面１３２は下方側にストロボ光軸と略平行になるように湾曲面１３５を有している。
【００２２】
窓部材１３を前カバー１２へ組み込むと、窓部材１３の上部端面に設けられた突起１３４と、窓部材１３の下部に設けられた湾曲面１３５の端面１３５ａが、前カバー１２の受け面１２２，１２３それぞれと当接する。この受け面１２２，１２３により、照射装置１の前方から加わる圧力に対して十分に耐えうる構成となる。特に、端面１３５ａは略面全体で前カバー１２の受け面１２３と当接するので、強力な圧力に対しても容易に破壊することがない。
【００２３】
また、窓部材１３の内側のランプ放射面１３１ａには、ランプの配光が撮影時に最適となるように散乱させる表面処理が施されている。ここでは、ランプ放射面１３１ａにでこぼこしたしぼ形状を施すことでランプの配光はむらがなく、撮影範囲全体を均一に照射する光束としている。同様に、窓部材１３の内側のストロボ放射面１３２ａとその近傍には、ストロボの配光が撮影時に最適となるように散乱させる形状が施されている。ここでは、ストロボ放射面１３２ａとその近傍に略円弧形状を連続的に施すことでストロボの配光はむらがなく、撮影範囲全体を均一に照射する光束としている。
【００２４】
この実施の第１の形態では、窓部材１３の内側のランプ放射面１３１ａにしぼ形状を、ストロボ放射面１３２ａに連続した略円弧形状を、それぞれ施しているが、窓部材１３の外側のランプ放射面１３１ｂ、ストロボ放射面１３２ｂに施してもよいし、配光が撮影時に最適となる形状であれば、どのような形状でもよい。
【００２５】
図９は、本発明の実施の第１の形態に係る照明装置を組み立てた後を示す断面図である。
【００２６】
前述したように前カバー１２には排熱口１２１が設けられ、ランプ内部の熱された空気は外気と接することができる。この排熱口１２１を通して埃やごみ等の異物が侵入することが考えられる。特に、ストロボ発光部にごみ等が付着したままストロボ発光を行うと、焦げ、焼け等の問題が発生しやすい。
【００２７】
そこで、この排熱口１２１から例えば埃やごみ等の異物が侵入することを考慮して、窓部材１３の突起１３３と本体２１の突起２１１で互い壁を形成する構造にしている。そのため、もし異物が侵入したとしても、異物はこの壁で遮られ、この壁よりも下のストロボ発光部へ到達することを防ぐことができる。
【００２８】
また、本体２１の突起２１１はランプ部とストロボ部の中間に設けられているので、ランプ部からの光束とストロボ部からの光束を分断する役割も果している。
【００２９】
さらに、窓部材１３は無色透明の材料で構成されるため、強いランプ光及びストロボ光が窓部材１３に当る時に散乱や乱反射等が起こり、その結果有効光線範囲内に意図しない光束が侵入して配光むら等になるのを防いでいる。
【００３０】
（実施の第２の形態）
図１０乃至図１３を用いて本発明の実施の第２の形態に係る撮像装置用照明装置について説明する。
【００３１】
図１０は本発明の実施の第２の形態に係る主要部分の構成要素であるランプ窓５１、ストロボ窓６１を内側から見た斜視図である。その他の構成は上記実施の第１の形態と同様であるので、その説明は省略する。
【００３２】
本発明の実施の第２の形態に係る照射装置の射出面を覆う窓部材は、定常光を発するランプからの光束が通過するランプ放射面５１ａ，５１ｂを有するランプ窓部材５１と、ストロボ発光された光束が通過するストロボ放射面６１２ａ，６１２ｂを有するストロボ窓部材６１の、２つの部品で構成されている。ランプ窓部材５１には、ランプ放射面５１ａ，５１ｂと突起５１ｃ、さらに切り欠き部５１ｄが設けられている。また、ストロボ窓部材６１には、ストロボ放射面６１２ａ，６１２ｂと突起６１３、突起６１４、湾曲面６１５、回転止め６１６が設けられている。
【００３３】
ランプ窓部材５１をストロボ窓部材６１に組み込むと、ランプ窓部材５１の突起５１ｃがストロボ窓部材６１の円弧形状と係合して結合が保持される。さらにストロボ窓部材６１の回転止め６１６は、ランプ窓部材５１の切り欠き部５１ｄと係合してランプ窓部材５１の回転を規制する。
【００３４】
図１１は、ランプ窓部材５１をストロボ窓部材６１に組み込んだ状態を内側から見た斜視図であり、図１０及び図１１で示すように、ストロボ窓部材６１の突起６１３は、ランプ窓部材５１の内側のランプ放射面５１ａと、ストロボ窓部材６１の内側のストロボ放射面６１２ａとの間に設けられている。
【００３５】
図１２は、ランプ窓部材５１、ストロボ窓部材６１を前カバー１２へ組み込んだ状態を示す断面図である。
【００３６】
ストロボ窓部材６１の上部端面には突起６１４が設けられており、ストロボ窓部材６１のストロボ放射面６１２（６１２ａ，６１２ｂ）は下方側にストロボ光軸と略平行になるように湾曲面６１５を有している。
【００３７】
ランプ窓部材５１、ストロボ窓部材６１を前カバー１２へ組み込むと、ストロボ窓部材６１の上部端面に設けられた突起６１４と、ストロボ窓部材６１の下部に設けられた湾曲面６１５の端面６１５ａが、前カバー１２の受け面１２２，１２３それぞれと当接する。この受け面１２２，１２３により、照射装置の前方から加わる圧力に対して十分に耐えうる構成となる。特に、端面６１５ａは略面全体で前カバー１２の受け面１２３と当接するので強力な圧力に対しても容易に破壊することがない。
【００３８】
また、ランプ窓部材５１の内側のランプ放射面５１ａには、ランプの配光が撮影時に最適となるように散乱させる表面処理が施されている。ここでは、ランプ放射面５１ａにしぼ形状を施すことでランプの配光はむらがなく、撮影範囲全体を均一に照射する光束としている。同様に、ストロボ窓部材６１の内側のストロボ放射面６１２ａとその近傍には、ストロボの配光が撮影時に最適となるように散乱させる形状が施されている。ここでは、ストロボ放射面６１２ａとその近傍に連続的に略円弧形状を施すことでストロボの配光はむらがなく、撮影範囲全体を均一に照射する光束としている。
【００３９】
この実施の第２の形態では、ランプ窓部材５１の内側のランプ放射面５１ａにしぼ形状を、ストロボ窓部材６１のストロボ放射面６１２ａに連続した略円弧形状をそれぞれ施しているが、ランプ窓部材５１の外側のランプ放射面５１ｂ、ストロボ窓６１のストロボ放射面６１２ｂに施してもよいし、配光が撮影時に最適となる形状であれば、どのような形状でもよい。
【００４０】
図１３は、本発明の実施の第２の形態に係る照明装置１の組み立て後を示す断面図である。
【００４１】
前述したように前カバー１２には排熱口１２１が設けられ、ランプ内部の熱された空気は外気と接することができる。この排熱口１２１を通して埃やごみ等の異物が侵入することが考えられる。特に、ストロボ発光部にごみ等が付着したままストロボ発光を行うと、焦げ、焼け等の問題が発生しやすい。
【００４２】
そこで、この排熱口１２１から例えば埃やごみ等の異物が侵入することを考慮して、ストロボ窓部材６１の突起６１３と本体２１の突起２１１で互い壁を形成する構造にしている。そのため、もし異物が侵入したとしても、異物はこの壁で遮られ、この壁よりも下のストロボ発光部へ到達することを防ぐことができる。
【００４３】
また、本体２１の突起２１１はランプ部とストロボ部の中間に設けられているので、ランプの光束とストロボの光束を分断する役割も果している。
【００４４】
さらに、ランプ窓部材５１、ストロボ窓部材６１は無色透明の材料で構成されるため、強いランプ光及びストロボ光がランプ窓部材５１、ストロボ窓部材６１に当る時に散乱や乱反射等が起こり、その結果有効光線範囲内に意図しない光束が侵入して配光むら等になるのを防いでいる。
【００４５】
また、ランプ部とストロボ部ではそれらを覆う窓部材の耐熱温度が異なり、特にランプ部では連続した定常光の熱で変形しない材質、ストロボ部では焦げの出ない材質を使用する必要があることから、各部において特性の異なる材質を使用して、これらを一体化した構造にすることで、熱による劣化防止を図ることができる。
【００４６】
上記の実施の各形態によれば、定常光を放つ、ランプ反射笠２２及びランプ２３より成るランプ部と、ストロボ発光を行う、ストロボ発光ユニット２４、ライトガイド２８及び反射板２９より成るストロボ発光部と、前記ランプ部と前記ストロボ発光部の前方に配置され、射出面を覆う光学部材であるところの窓部材（窓部材１３、もしくは、ランプ窓部材５１とストロボ窓部材６１）とを有し、前記窓部材は、前記ランプ部から放射される光束が通過する第１の面（ライト放射面１３１、５１ａ，５１ｂ）と、前記ストロボ発光部から放射される光束が通過する第２の面（ストロボ放射面１３２、６１２ａ，６１２ｂ）とを具備した構造にしたので、従来のように設計上、ランプ部の窓部材とストロボ部の窓部材を配置する際の自由度が制限されてしまうといったことが無くなる。
【００４７】
また、前記窓部材に具備される前記第１の面と前記第２の面のうち、第２の面（第１の面の一部であってもよいし、両方の面の端部であってもよい）の一部（一端部）（１３５ａ，６１５ａ）は、前記ストロボ発光部から放射される光束と略水平となる形状（図８や図１２参照）を有しているので、従来に比べて、外部から押された時の圧力に構造上十分に耐えうるものとなる。
【００４８】
さらに、前記窓部材には、前記ストロボ発光部と前記ランプ部それぞれから放射される光束を分断できるように、別言すれば、前記ストロボ発光部から放射される光束と前記ランプ部から放射される光束で挟まれる領域に、突起１３３，６１３を設けた形状にしているので、外装上面に排熱のための開口（排熱口１２１）が設けられていても、又実施の第２の形態においてランプの交換のためにランプ窓部材が取り外されたとしても、ストロボ部に埃やごみ等の異物が容易に混入しない照明装置とする事ができる。
【００４９】
最後に、請求項１に記載の発明以外の本発明に係る照明装置の実施形態について，以下に列挙する。
【００５０】
（実施態様１）  定常光を放つランプ部と、ストロボ発光を行うストロボ発光部と、前記ランプ部と前記ストロボ発光部の前方に配置され、それぞれの射出面を覆う光学部材とを有する照明装置において、前記光学部材は、前記ランプ部から放射される光束が通過する第１の面と、前記ストロボ発光部から放射される光束が通過する第２の面とを有し、前記第１の面と前記第２の面のうち、少なくとも一方の面の一部は、前記ストロボ発光部または前記ランプ部から放射される光束と略水平となる形状となっていることを特徴とする照明装置。
【００５１】
照明装置の前方からの圧力に対して十分に耐える構造とするために、上記構成にしている。
【００５２】
（実施態様２）  前記光学部材は、前記ストロボ発光部から放射される光束と前記ランプ部から放射される光束で挟まれる領域に突起部を有すること特徴とする実施態様１に記載の照明装置。
【００５３】
ランプ交換の際に異物がランプ部に侵入したとしても、ストロボ発光部へその異物が混入することを防止するために、上記構成にしている。
【００５４】
（実施態様３）  前記第１の面の一部または全部に、前記ランプ部から放射される光束を散乱させる形状を施したことを特徴とする実施態様１又は２に記載の照明装置。
【００５５】
ランプの配光にむらがなく、照明範囲全体を均一に照射することを可能にするために、上記構成にしている。
【００５６】
（実施態様４）  前記第２の面の一部または全部に、前記ストロボ発光部から放射される光束を散乱させる形状を施したことを特徴とする実施態様１乃至３の何れかに記載の照明装置。
【００５７】
ストロボ発光部の配光にむらがなく、照明範囲全体を均一に照射することを可能にするために、上記構成にしている。
【００５８】
（実施態様５）  前記ランプ部から放射される光束を散乱させる形状は、しぼ形状であることを特徴とする実施態様３に記載の照明装置。
【００５９】
（実施態様６）  前記ストロボ発光部から放射される光束を散乱させる形状の一部は、略円弧形状であることを特徴とする実施態様４に記載の照明装置。
【００６０】
（実施態様７）  撮像装置本体に通信手段を介して接続されることを特徴とする実施態様１乃至６の何れかに記載の照明装置。
【００６１】
（実施態様８）  前記光学部材の第１の面と第２の面は、光軸に対して垂直方向に近接して配置されることを特徴とする実施態様１乃至７の何れかに記載の照明装置。
【００６２】
ストロボ発光部の開口は一般に横長であるが、ランプ部とストロボ発光部を組み合わせる際にはお互いを光軸に対して垂直方向に近接して、つまり上下方向に配置することで、コンパクトな照明装置とすることができることから、上記構成にしている。。
【００６３】
（実施態様９）  撮像装置本体に通信手段を介して固定して接続される照明装置であって、前記光学部材の前記第２の面は、前記第１の面よりも撮像装置本体側に配置されることを特徴とする実施態様１乃至８の何れかに記載の照明装置。
【００６４】
定常光を発するランプ部（第１の面）の近傍に該ランプ部の熱を逃がす排熱口を設ける必要があり、撮像装置本体から離れたところに排熱口を配置すると排熱効率が良くなることから、上記構成にしている。
【００６５】
（実施態様１０）  撮像装置本体に通信手段を介して固定して接続される照明装置であって、前記光学部材の前記第２の面は、前記第１の面よりも下側である撮像装置本体側に配置されることを特徴とする実施態様８に記載の照明装置。
【００６６】
定常光を発するランプ部（第１の面）の近傍に該ランプ部の熱を逃がす排熱口を設ける必要があり、ランプ部をストロボ部（第２の面）よりも上方（撮像装置本体側よりも離れる側）に配置すると、ランプ部の熱は上方へ向かい、排熱口から逃げ易くなり、排熱効率が良くなることから、上記構成にしている。
【００６７】
（実施態様１１）  前記光学部材の前記第１の面を構成する部材と前記第２の面を構成する部材は、互いに異なる材質で構成されることを特徴とする実施態様１乃至１０に記載の照明装置。
【００６８】
定常光を発するランプ部とストロボ光を発するストロボ部ではそれらを覆う窓部材の耐熱温度が異なり、特にランプ部では連続した定常光の熱で変形しない材質、ストロボ部では焦げの出ない材質を使用する必要がある点に着目し、各部において特性の異なる材質を使用することで、熱による劣化防止を図る目的から、上記構成にしている。
【００６９】
（実施態様１２）  前記光学部材の前記第１の面を構成する部材は略円筒形状を有し、前記第２の面との結合部に係合する突起を設けたことを特徴とする実施態様１１に記載の照明装置。
【００７０】
【発明の効果】
以上説明したように、本発明によれば、比較的簡単な構成で、部品を増やさず、かつランプ部とストロボ発光部の射出面構造の自由度を増すことができる、ランプ部とストロボ発光部を一体化した照明装置を提供できるものである。
【図面の簡単な説明】
【図１】本発明の実施の第１の形態に係る照射装置の外観斜視図である。
【図２】本発明の実施の第１の形態に係る照射装置の外観斜視図である。
【図３】本発明の実施の第１の形態に係る照射装置をビデオカメラに接続した際の外観斜視図である。
【図４】本発明の実施の第１の形態に係る照射装置の内部構成を示す分解斜視図である。
【図５】図４に示す本体ユニットの内部構成を示す分解斜視図である。
【図６】本発明の実施の第１の形態に係る照射装置の内部構成を示す図である。
【図７】本発明の実施の第１の形態に係る照射装置に具備される窓を示す斜視図である。
【図８】本発明の実施の第１の形態に係る照射装置の前面部を示す断面図である。
【図９】本発明の実施の第１の形態に係る照射装置の組み立て後を示す側面図である。
【図１０】本発明の実施の第２の形態に係る照射装置に具備される窓を示す斜視図である。
【図１１】本発明の実施の第２の形態に係る照射装置に具備される窓を示す斜視図である。
【図１２】本発明の実施の第２の形態に係る照射装置の前面部を示す断面図である。
【図１３】本発明の実施の第２の形態に係る照射装置の組み立て後を示す側面図である。
【符号の説明】
１        照射装置
２        ビデオカメラ
３        接続部
１３      窓部材
１４      本体通信部材
１５      ロック部材
１６      ロック保持部材
２０      本体ユニット
２１      本体
２２      ランプ反射笠
２３      ランプ
２４      ストロボ発光ユニット
２５      キセノン管
２６      ストロボ反射笠
２８      ライトガイド
２９      反射板
５１      ランプ窓部材
６１      ストロボ窓部材
５１ａ，５１ｂ，１３１ａ，１３１ｂ      ライト放射面
１３２ａ，１３２ｂ，６１２ａ，６１２ｂ  ストロボ放射面
１３５ａ，６１５ａ                      端面
【図１】
2004258146.tif 000003
【図２】
2004258146.tif 000004
【図３】
2004258146.tif 000005
【図４】
2004258146.tif 000006
【図５】
2004258146.tif 000007
【図６】
2004258146.tif 000008
【図７】
2004258146.tif 000009
【図８】
2004258146.tif 000010
【図９】
2004258146.tif 000011
【図１０】
2004258146.tif 000012
【図１１】
2004258146.tif 000013
【図１２】
2004258146.tif 000014
【図１３】
2004258146.tif 000015